(57)【要約】【課題】木造住宅の木組を締めつけるボルトの、木痩せによるナットの緩みを自動的に締めつけるナットを提供する。【解決の手段】木組み１を締めつけるボルト２を切り込み９のあるナット４にて締めつけ、突起８を設けたスプリング５をナット４の上に差し込み、切り込み９と内外に爪１０．１１を設けた逆回り止めスプリング６を内設したナット７をボルト２にねじ込むと、スプリング５の突起８がナット４．７の切り込み９に係支され、ナット７にてスプリング５が巻き締められ、木痩せのため木材１と平ワッシャー３又はナット４の間に隙間が出来ると、巻き締められたスプリング５の反動で、ナット４が回り隙間が無くなる事を特長とする木材の木痩せに対応するナット。【選択図】  図１
2004169902.tif 000002
【特許請求の範囲】
【請求項１】
切り込み９を設けたナット４をボルト２にねじ込み締めつけ、突起８のあるスプリング５をナット４の上に差し込み、逆回り止めスプリング６を内設し切り込み９を設けたナット７をボルト２にねじ込み、スプリング５を巻き締め圧縮した、木材の木痩せに対応するナット。
【請求項２】
内側にボルト２のネジ山に咬止する爪１０と、外側にナット７のすじ状溝１２に係止する爪１１を突設したスプリング６を、ナット７に内設した請求項１記載の木材の木痩せに対応するナット。
【発明の詳細な説明】
【０００１】
【発明に属する技術分野】
この発明は、木造建築の木材の木痩せに対応するナットに関する。
【０００２】
【従来の技術】
従来の技術で特開平６−４２５２１では、Ｂナットの内部にコイルバネを設けてコイルバネの先端をＡナットの窪みに当て、Ａナットで締めつけたのちＢナットとＡナットをダブルナットにして締めつけているが、この出願は木痩せに対するものではないため自動的に隙間を無くす事はできない。
特開平９−２２９０４６では、ナット４で締めつけたのちスプリング１２を差し込みナツト１０にてスプリング１２を巻き締め、なおナット１０が戻らない用ナット１１でダブルナットにしているが、ナットを３個使用するため作業効率がわるい。
特開平１１−１０８０３２と自出願の特願２００１−１０９２６１では渦巻きスプリングになっている。
特開２００１−２８０３２８では、ナットと平ワッシャーの間にスプリングを入れた従来の技術と変わりなく、スプリングを二重三重に用いたものであり、以上の技術では本願とは構造が異なる。
【０００３】
【発明が解決しようとする課題】
現在の木造建築では、木組をボルトにて締めつけているが、欅等の堅木を使う事なく杉等の比較的柔らかい木材を使用するため、径年変化により木材が木痩せしても後からナットを締めつける事は出来ない。
【０００４】
【課題を解決するための手段】
木材の木痩せに対応するには、鉄骨造に使用する割りスプリングでは対応出来ません。本発明では、平ワッシャーの上に直接ナットで締めつけ、此のナットが木痩せのため隙間が出来た時点でナットが自動で回り締めつけるようにする。
【０００５】
【発明の実施の形態】
この発明の実施を図にて説明すると、木組１にボルト２を挿通させ、平ワッシャー３を通しナット４をねじ込み締めつけ、スプリング５を通し、逆回り止めスプリング６を内設したナット７にてスプリング５を巻き締めるようにしたもので、ナット４と７にはスプリング５の突起８が切り込み９に係支される。
ナット７をねじ込むとスプリング５が巻き締められるが、ナット７に内設した逆回り止めスプリング６の内側の爪１０がボルト２のネジ山に咬止され、外側の爪１１はナット７のすじ状溝１２に係支される。
【０００６】
逆回り止めスプリング６の内爪１０及び外爪１１は、ナット７にてスプリング５を巻き締めても内爪１０がボルト２のネジ山に咬止され、外爪１１はナット７のすじ状溝１２に係支されるため、ナット７は逆戻りせず固定される。
以上のような構造であるため、ナット７をダブルナットで固定する必要がない。木材が痩せて木と平ワッシャー３又は平ワッシャー３とナット４の間に隙間が出来ると、ナット７にて巻き締められていたスプリング５の反動でナット４が回り隙間がなくなる。
【０００７】
【発明の効果】
木造建築は現在おもに杉等の比較的柔らかい木材の使用が多いが、昔のように木材がかれるのをまってから造作すれば良いが、現時点ではそのまま造作に入るため、後からボルトを締め直すことは不可能であり外部からボルトの緩みをみつけることは出来ない。
木造住宅の解体時に見かけるがほとんどのボルトは隙間が出来ゆるんでいる。
木造の木組に割りスプリングを使用しているのを多々見かけるが、割りスプリングの範囲より木材が痩せるためあまり意味がないのと、外国ではスプリングの破損を考慮してかナットとの間にスプリングを入れるのを禁止している国が有るとのこと聞きます。
本発明のナットの使用では、スプリング５の巻き数及び強度により高範囲に対応出来るし、木材を積み重ねるログハウスにおいては特に木痩せに対する後締めが必要ですが、このナットの使用により自動的にナットが締まるためその必要がない。
【図面の簡単な説明】
【図１】木組の木材を締めつけたナットとスプリング
図１のＡはＢの逆回り止めスプリングを内設するすじ状溝を有するナットの斜視図
図１のＢは逆回り止めスプリングの斜視図
図１のＣは逆回り止めスプリングを内設したナットをボルトにねじ込んだ時の正面図
【符号の説明】
１        木組の木材
２        ボルト
３        平ワッシャー
４．７    ナット
５        スプリング
６        逆回り止めスプリング
８        突起
９        切り込み
１０      内側の爪
１１      外側の爪
１２      すじ状溝
【図１】
2004169902.tif 000003
【手続補正書】
【提出日】平成15年1月10日(2003.1.10)
【手続補正１】
【補正対象書類名】明細書
【補正対象項目名】０００６
【補正方法】変更
【補正の内容】
【０００６】
逆回り止めスプリング６の内爪１０及び外爪１１は、ナット７にてスプリング５を巻き締めても内爪１０がボルト２のネジ山に咬止され、外爪１１はナット７のすじ状溝１２に係支されるため、ナット７は逆戻りせず固定される。
又図２のように一部に合成樹脂１３を固着し、切り込み９を設けたナット１４をナット７の変わりにボルト２にねじ込み、スプリング５を巻き締めると合成樹脂の圧縮力によりナット１４は逆回りせずスプリング５を巻き締める事が出来る。木材が痩せて木と平ワッシャー３又は平ワッシャー３とナット４の間に隙間が出来ると、ナット７又は１４にて巻き締められていたスプリング５の反動でナット４が回り隙間がなくなる。


【手続補正２】
【補正対象書類名】明細書
【補正対象項目名】図面の簡単な説明
【補正方法】変更
【補正の内容】
【図面の簡単な説明】
【図１】木組の木材をナット４で締めつけ、ボルト２に差し込んだスプリング５を、スプリング６を内設したナット７にて巻き締めた図。
【図２】ナット７の変わりに合成樹脂１３等を固着し切り込み９を設けたナット１４の斜視図。
図１のＡは、Ｂの逆回り止めスプリング６を内設するすじ状溝１２を有するナッ７の斜視図
図１のＢは、逆回り止めスプリング６の斜視図。
図１のＣは、逆回り止めスプリング６を内設したナット７とスプリング５をボルト２にセットした正面図。
【符号の説明】
１                  木組の木材
２                  ボルト
３                  平ワッシャー
４  ７  １４        ナット
５                  スプリング
６                  逆回り止めスプリング
８                  突起
９                  切り込み
１０                内側の爪
１１                外側の爪
１２                すじ状溝
１３                合成樹脂


【手続補正３】
【補正対象書類名】明細書
【補正対象項目名】図面
【補正方法】追加
【補正の内容】
【図２】
2004169902.tif 000004